(57)【要約】  キャリアアグリゲーションの間のダウンリンクデータ転送を制御するための技法が提供される。たとえば、方法は、キャリアアグリゲーションを使用して、ワイヤレス通信ネットワーク中の２次コンポーネントキャリアダウンリンク（ＤＬ）を制御することができる。方法は、モバイルエンティティによって、キャリアアグリゲーション対応接続の２次コンポーネントキャリア上での基地局からモバイルエンティティへのデータ送信に関するモバイルエンティティにおけるリソース制約を示すイベントを検出することを含み得る。方法は、そのイベントを検出したことに応答して、２次コンポーネントキャリアＤＬの状態を基地局にシグナリングすることによって、データ送信を制御することを含み得る。
2015509348.tif 000002
【特許請求の範囲】
【請求項１】
キャリアアグリゲーションを使用したワイヤレス通信ネットワーク中の２次コンポーネントキャリアダウンリンク（ＤＬ）を制御するための方法であって、
モバイルエンティティによって、キャリアアグリゲーション対応接続の２次コンポーネントキャリア上での基地局から前記モバイルエンティティへのデータ送信に関する前記モバイルエンティティにおけるリソース制約を示すイベントを検出することと、
前記イベントを検出したことに応答して、前記２次コンポーネントキャリアＤＬの状態を前記基地局にシグナリングすることによって、前記データ送信を制御することとを備える、方法。
【請求項２】
前記リソース制約が、ＣＰＵプロセッシング制約、受信チェーン制約、バス帯域幅制約、電力制約、または動作温度制約からなる群から選択される、請求項１に記載の方法。
【請求項３】
前記状態をシグナリングすることが、前記データ送信におけるエラーを報告するために必要な否定応答（ＮＡＣＫ）の数を超えるより多数のＮＡＣＫを前記データ送信についてシグナリングすることを備える、請求項１に記載の方法。
【請求項４】
前記状態をシグナリングすることが、前記データ送信においてＡＣＫ／ＮＡＣＫ応答を要求する信号を受信したにもかかわらず、前記データ送信に対する確認応答（ＡＣＫ）または否定応答（ＮＡＣＫ）をシグナリングしないことを備える、請求項１に記載の方法。
【請求項５】
前記状態をシグナリングすることが、前記データ送信について前記モバイルエンティティにより測定されるものより低いチャネル品質を示す、前記データ送信に対するチャネル品質インジケータをシグナリングすることを備える、請求項１に記載の方法。
【請求項６】
前記チャネル品質インジケータが０に設定される、請求項５に記載の方法。
【請求項７】
前記状態をシグナリングすることが、チャネル測定モジュールのデータ送信アップストリームの品質を劣化させることを備える、請求項１に記載の方法。
【請求項８】
前記状態をシグナリングすることが、前記モバイルエンティティによって前記基地局に提供されるイベントトリガされた測定結果を劣化させることを備える、請求項１に記載の方法。
【請求項９】
前記状態をシグナリングすることが、前記モバイルエンティティのＭＩＭＯ能力未満のＭＩＭＯ能力を示すことを備える、請求項１に記載の方法。
【請求項１０】
プリコーディングマトリックスインジケータ（ＰＭＩ）またはランクインジケータ（ＲＩ）の少なくとも１つによって前記能力を示すことをさらに備える、請求項９に記載の方法。
【請求項１１】
前記イベントがページングメッセージを受信することを備え、前記方法が、前記２次コンポーネントキャリア上でのキャリアアグリゲーションの無効化を要求することによって、着信する呼のためのリソースを解放することをさらに備える、請求項１に記載の方法。
【請求項１２】
前記イベントが外部への呼を行うための要求を示す入力を受信することを備え、前記方法が、前記２次コンポーネントキャリア上でのキャリアアグリゲーションを無効にすることによって、前記外部への呼のためのリソースを解放することをさらに備える、請求項１に記載の方法。
【請求項１３】
前記データ送信のデータレートを監視することをさらに備える、請求項１に記載の方法。
【請求項１４】
前記イベントが、定義された範囲または設定点の外側のデータレートを、前記監視によって観測することを備える、請求項１３に記載の方法。
【請求項１５】
前記データ送信を制御することが、前記定義された範囲または設定点の範囲内に前記データレートを維持することを備える、請求項１４に記載の方法。
【請求項１６】
キャリアアグリゲーションを使用したワイヤレス通信ネットワーク中の２次コンポーネントキャリアダウンリンク（ＤＬ）を制御するための装置であって、
キャリアアグリゲーション対応接続の２次コンポーネントキャリア上での基地局から前記モバイルエンティティへのデータ送信に関するモバイルエンティティにおけるリソース制約を示すイベントを検出するための手段と、
前記イベントを検出したことに応答して、前記２次コンポーネントキャリアＤＬの状態を前記基地局にシグナリングすることによって、前記データ送信を制御するための手段とを備える、装置。
【請求項１７】
キャリアアグリゲーションを使用したワイヤレス通信ネットワーク中の２次コンポーネントキャリアダウンリンク（ＤＬ）を制御するための装置であって、
キャリアアグリゲーション対応接続の２次コンポーネントキャリア上での基地局から前記モバイルエンティティへのデータ送信に関するモバイルエンティティにおけるリソース制約を示すイベントを検出し、前記イベントを検出したことに応答して、前記２次コンポーネントキャリアＤＬの状態を前記基地局にシグナリングすることによって、前記データ送信を制御するために構成される、少なくとも１つのプロセッサと、
前記少なくとも１つのプロセッサに結合された、データを記憶するためのメモリとを備える、装置。
【請求項１８】
前記少なくとも１つのプロセッサがさらに、ＣＰＵプロセッシング制約、受信チェーン制約、バス帯域幅制約、電力制約、または動作温度制約からなる群からリソース制約を選択するために構成される、請求項１７に記載の装置。
【請求項１９】
前記少なくとも１つのプロセッサがさらに、前記データ送信における実際のエラーを報告するために必要な否定応答（ＮＡＣＫ）の数を超えるより多数のＮＡＣＫを前記データ送信についてシグナリングすることを備える、前記状態をシグナリングすることのために構成される、請求項１７に記載の装置。
【請求項２０】
前記少なくとも１つのプロセッサがさらに、前記データ送信においてＡＣＫ／ＮＡＣＫ応答を要求する信号を受信したにもかかわらず、前記データ送信に対する確認応答（ＡＣＫ）または否定応答（ＮＡＣＫ）をシグナリングすることを備える、前記状態をシグナリングすることのために構成される、請求項１７に記載の装置。
【請求項２１】
前記少なくとも１つのプロセッサがさらに、前記データ送信について前記モバイルエンティティにより測定されるものより低いチャネル品質を示す、前記データ送信に対するチャネル品質インジケータをシグナリングすることを備える、前記状態をシグナリングすることのために構成される、請求項１７に記載の装置。
【請求項２２】
前記少なくとも１つのプロセッサがさらに、前記より低いチャネル品質が０であることを示すことを備える、前記状態をシグナリングすることのために構成される、請求項２１に記載の装置。
【請求項２３】
前記少なくとも１つのプロセッサがさらに、チャネル測定モジュールのデータ送信アップストリームの品質を劣化させることを備える、前記状態をシグナリングすることのために構成される、請求項１７に記載の装置。
【請求項２４】
前記少なくとも１つのプロセッサがさらに、前記モバイルエンティティによって前記基地局に提供されるイベントトリガされた測定結果を劣化させることを備える、前記状態をシグナリングすることのために構成される、請求項１７に記載の装置。
【請求項２５】
前記少なくとも１つのプロセッサがさらに、前記モバイルエンティティのＭＩＭＯ能力未満のＭＩＭＯ能力を示すことを備える、前記状態をシグナリングすることのために構成される、請求項１７に記載の装置。
【請求項２６】
前記少なくとも１つのプロセッサがさらに、プリコーディングマトリックスインジケータ（ＰＭＩ）またはランクインジケータ（ＲＩ）の少なくとも１つによって前記能力を示すことのために構成される、請求項２５に記載の装置。
【請求項２７】
前記少なくとも１つのプロセッサがさらに、ページングメッセージを受信することと、前記２次コンポーネントキャリア上でのキャリアアグリゲーションの無効化を要求することによって着信する呼のためのリソースを解放することとを備える、前記イベントを検出することのために構成される、請求項１７に記載の装置。
【請求項２８】
前記少なくとも１つのプロセッサがさらに、外部への呼を行うための要求を示すユーザ入力を受信することと、前記２次コンポーネントキャリア上でのキャリアアグリゲーションの無効化を要求することによって前記外部への呼のためのリソースを解放することとを備える、前記イベントを検出することのために構成される、請求項１７に記載の装置。
【請求項２９】
前記少なくとも１つのプロセッサがさらに、前記データ送信のデータレートを監視することのために構成される、請求項１７に記載の装置。
【請求項３０】
前記少なくとも１つのプロセッサがさらに、定義された範囲または設定点の外側のデータレートを備える前記イベントを、前記監視によって観測することのために構成される、請求項２９に記載の装置。
【請求項３１】
前記少なくとも１つのプロセッサがさらに、前記定義された範囲または設定点の範囲内に前記データレートを維持することによって前記データ送信を制御することのために構成される、請求項３０に記載の装置。
【請求項３２】
符号化された命令を保持する非一時的コンピュータ可読媒体を備える、キャリアアグリゲーションを使用したワイヤレス通信ネットワーク中の２次コンポーネントキャリアダウンリンク（ＤＬ）を制御するためのコンピュータプログラム製品であって、
前記命令が、プロセッサによって実行されると、モバイル通信デバイスに、キャリアアグリゲーション対応接続の２次コンポーネントキャリア上での基地局から前記モバイルエンティティへのデータ送信に関するモバイルエンティティにおけるリソース制約を示すイベントを検出させ、前記イベントを検出したことに応答して、前記２次コンポーネントキャリアＤＬの状態を前記基地局にシグナリングすることによって、前記データ送信を制御させる、コンピュータプログラム製品。
【発明の詳細な説明】
【技術分野】
【０００１】
関連出願の相互参照
[0001]本特許出願は、本出願の譲受人に譲渡され、参照により全体が本明細書に明確に組み込まれる、２０１２年２月３日に出願された「ＤＯＷＮＬＩＮＫ  ＤＡＴＡ  ＴＲＡＮＳＦＥＲ  ＦＬＯＷ  ＣＯＮＴＲＯＬ  ＤＵＲＩＮＧ  ＣＡＲＲＩＥＲ  ＡＧＧＲＥＧＡＴＩＯＮ」と題する仮出願第６１/５９４，９８６号の優先権を主張する。
【０００２】
[0002]本開示の態様は、全般にワイヤレス通信システムに関し、より詳細には、キャリアアグリゲーションの間にダウンリンクデータ転送フロー制御を提供することに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な、多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。本明細書で使用される場合、「キャリア」は、ある定められた周波数を中心としかつワイヤレス通信に使用される、無線帯域を指す。
【０００４】
[0004]ワイヤレス通信ネットワークは、多数のユーザ機器（ＵＥ）の通信をサポートすることができる、多数の基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）は、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の発展形として、セルラー技術における大きな進歩を代表するものである。ＬＴＥ物理層（ＰＨＹ）は、ｅｖｏｌｖｅｄ  Ｎｏｄｅ  Ｂ（ｅＮＢ）のような基地局とＵＥのようなモバイルエンティティとの間でデータと制御情報の両方を搬送する、高効率な方法を提供する。
【発明の概要】
【０００６】
[0006]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]キャリアアグリゲーションの間のダウンリンクデータ転送フロー制御のための、装置および方法が開示される。一態様によれば、キャリアアグリゲーションを使用して、ワイヤレス通信ネットワーク中の２次コンポーネントキャリアダウンリンク（ＤＬ）を制御するための方法が開示される。方法は、モバイルエンティティによって、キャリアアグリゲーション対応接続の２次コンポーネントキャリア上での基地局からモバイルエンティティへのデータ送信に関するモバイルエンティティにおけるリソース制約を示すイベントを検出することを含む。方法は、そのイベントを検出したことに応答して、２次コンポーネントキャリアＤＬの状態を基地局にシグナリングすることによって、データ送信を制御することを含む。
【０００８】
[0008]別の態様によれば、キャリアアグリゲーションを使用して、ワイヤレス通信ネットワーク中の２次コンポーネントキャリアダウンリンク（ＤＬ）を制御するための装置が開示される。装置は、キャリアアグリゲーション対応接続の２次コンポーネントキャリア上での基地局からモバイルエンティティへのデータ送信に関するモバイルエンティティにおけるリソース制約を示すイベントを検出するための手段を含む。装置は、そのイベントを検出したことに応答して、２次コンポーネントキャリアＤＬの状態を基地局にシグナリングすることによって、データ送信を制御するための手段を含む。
【０００９】
[0009]別の態様によれば、キャリアアグリゲーションを使用して、ワイヤレス通信ネットワーク中の２次コンポーネントキャリアダウンリンク（ＤＬ）を制御するための装置が開示される。装置は、キャリアアグリゲーション対応接続の２次コンポーネントキャリア上での基地局からモバイルエンティティへのデータ送信に関するモバイルエンティティにおけるリソース制約を示すイベントを検出し、そのイベントを検出したことに応答して、２次コンポーネントキャリアＤＬの状態を基地局にシグナリングすることによって、データ送信を制御するために構成される、少なくとも１つのプロセッサを含む。装置は、少なくとも１つのプロセッサに結合された、データを記憶するためのメモリを含む。
【００１０】
[0010]別の態様によれば、キャリアアグリゲーションを使用して、ワイヤレス通信ネットワーク中の２次コンポーネントキャリアダウンリンク（ＤＬ）を制御するためのコンピュータプログラム製品が開示される。コンピュータプログラム製品は、符号化された命令を保持する非一時的コンピュータ可読媒体を含み、この符号化された命令は、プロセッサによって実行されると、モバイル通信デバイスに、キャリアアグリゲーション対応接続の２次コンポーネントキャリア上での基地局からモバイルエンティティへのデータ送信に関するモバイルエンティティにおけるリソース制約を示すイベントを検出させ、そのイベントを検出したことに応答して、２次コンポーネントキャリアＤＬの状態を基地局にシグナリングすることによって、データ送信を制御させる。
【００１１】
[0011]様々な態様が例として図示され説明される、以下の発明を実施するための形態から、当業者には他の態様が容易に明らかになることを理解されたい。図面および発明を実施するための形態は、本質的に例示的なものと見なされるべきであり、限定的なものと見なされるべきではない。
【図面の簡単な説明】
【００１２】
【図１】[0012]遠隔通信システムのある例を概念的に示すブロック図。
【図２】[0013]遠隔通信システムにおけるダウンリンクフレーム構造のある例を概念的に示すブロック図。
【図３】[0014]本開示の一態様に従って構成された基地局／ｅＮＢおよびＵＥの設計を概念的に示すブロック図。
【図４Ａ】[0015]連続キャリアアグリゲーションタイプを開示する図。
【図４Ｂ】[0016]不連続キャリアアグリゲーションタイプを開示する図。
【図５】[0017]ＭＡＣレイヤデータアグリゲーションを開示する図。
【図６】[0018]セルへの初期接続の間にＵＥのキャリアアグリゲーション能力をネゴシエートするための呼のフローの例を示すシーケンス図。
【図７Ａ】[0019]２次コンポーネントキャリアを非アクティブ化または再アクティブ化するための新たなＭＡＣ制御要素オクテットの例を示す図。
【図７Ｂ】[0020]２つの２次コンポーネントキャリアをアクティブ化するための例示的なＭＡＣ制御要素オクテットを示す図。
【図８】[0021]２次コンポーネントキャリアを非アクティブ化または再アクティブ化するための、図７の新たな媒体アクセス制御（ＭＡＣ）制御要素を含む呼のフローの例を示すシーケンス図。
【図９】[0022]新たなＭＡＣ制御要素を使用することない、キャリアアグリゲーションの間のダウンリンクデータ転送フロー制御のための呼フローの例を示すシーケンス図。
【図１０】[0023]モバイルエンティティによる実行のための、新たなＭＡＣ制御要素を使用することない、キャリアアグリゲーションの間のダウンリンクデータ転送フロー制御のための例示的な方法を示すフローチャート。
【図１１】[0024]制御可能な信号劣化モジュールを使用する、キャリアアグリゲーションの間のダウンリンクデータ転送フロー制御のためのモバイルエンティティのコンポーネントを示すブロック図。
【図１２】[0025]モバイルエンティティにおいて実行される、新たなＭＡＣ制御要素の使用を必要とすることのない、キャリアアグリゲーションの間のダウンリンクデータ転送フロー制御のための方法の実施形態の図。
【図１３】モバイルエンティティにおいて実行される、新たなＭＡＣ制御要素の使用を必要とすることのない、キャリアアグリゲーションの間のダウンリンクデータ転送フロー制御のための方法の実施形態の図。
【図１４】モバイルエンティティにおいて実行される、新たなＭＡＣ制御要素の使用を必要とすることのない、キャリアアグリゲーションの間のダウンリンクデータ転送フロー制御のための方法の実施形態の図。
【図１５】モバイルエンティティにおいて実行される、新たなＭＡＣ制御要素の使用を必要とすることのない、キャリアアグリゲーションの間のダウンリンクデータ転送フロー制御のための方法の実施形態の図。
【図１６】モバイルエンティティにおいて実行される、新たなＭＡＣ制御要素の使用を必要とすることのない、キャリアアグリゲーションの間のダウンリンクデータ転送フロー制御のための方法の実施形態の図。
【図１７】モバイルエンティティにおいて実行される、新たなＭＡＣ制御要素の使用を必要とすることのない、キャリアアグリゲーションの間のダウンリンクデータ転送フロー制御のための方法の実施形態の図。
【図１８】モバイルエンティティにおいて実行される、新たなＭＡＣ制御要素の使用を必要とすることのない、キャリアアグリゲーションの間のダウンリンクデータ転送フロー制御のための方法の実施形態の図。
【図１９】[0026]図１２〜図１８の方法による、キャリアアグリゲーションの間のダウンリンクデータ転送フロー制御のための装置のある実施形態の図。
【発明を実施するための形態】
【００１３】
[0027]添付の図面に関して以下に示される発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。しかしながら、これらの概念はこれらの具体的な詳細を伴わずに実施され得ることが当業者には明らかであろう。いくつかの例では、そのような概念を不明瞭にしないように、よく知られている構造およびコンポーネントがブロック図の形式で示される。
【００１４】
[0028]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などのような無線技術を実装し得る。ＵＴＲＡは、Ｗｉｄｅｂａｎｄ  ＣＤＭＡ（ＷＣＤＭＡ（登録商標））とＣＤＭＡの他の変形とを含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどのような無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明される技法は、上記のワイヤレスネットワークおよび無線技術、ならびに他のワイヤレスネットワークおよび無線技術に使用され得る。明快のために、本技法のいくつかの態様は以下ではＬＴＥに関して説明され、以下の説明の大部分でＬＴＥ用語が使用される。
【００１５】
[0029]図１は、ワイヤレス通信ネットワーク１００を示し、これはＬＴＥネットワークであり得る。ワイヤレスネットワーク１００は、いくつかのｅＮＢ  １１０と他のネットワークエンティティとを含み得る。ｅＮＢは、ＵＥと通信する局であってよく、基地局、Ｎｏｄｅ  Ｂ、アクセスポイント、または他の用語でも呼ばれ得る。各ｅＮＢ  １１０ａ、１１０ｂ、１１０ｃは、特定の地理的エリアに対して通信カバレッジを提供することができる。３ＧＰＰでは、「セル」という用語は、この用語が使用される状況に応じて、ｅＮＢのカバレッジエリアおよび／またはこのカバレッジエリアにサービスしているｅＮＢサブシステムを指すことがある。
【００１６】
[0030]ｅＮＢは、マクロセル、ピコセル、フェムトセル、および／または他のタイプのセルに通信カバレッジを提供することができる。マクロセルは、比較的大きい地理的エリア（たとえば、半径数キロメートル）をカバーでき、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（たとえば、自宅）をカバーすることができ、フェムトセルとの関連を有するＵＥ（たとえば、限定加入者グループ（ＣＳＧ）中のＵＥ、自宅内のユーザのためのＵＥなど）による限定アクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨＮＢ）と呼ばれ得る。図１に示される例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１７】
[0031]ワイヤレスネットワーク１００はまた、中継局１１０ｒを含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥまたはｅＮＢに対する送信を中継するＵＥ（たとえば、ＵＥ  １２０ｘ）であってよい。図１に示される例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、リレーｅＮＢ、リレーなどと呼ばれることもある。
【００１８】
[0032]ワイヤレスネットワーク１００は、様々なタイプのｅＮＢ、たとえば、マクロｅＮＢ、ピコｅＮＢ、フェムトｅＮＢ、リレーなどを含むヘテロジニアスネットワークであり得る。これらの様々なタイプのｅＮＢは、様々な送信出力レベル、様々なカバレッジエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００１９】
[0033]ワイヤレスネットワーク１００は、同期動作または非同期動作をサポートし得る。同期動作の場合、ｅＮＢは同様のフレームタイミングを有してよく、異なるｅＮＢからの送信は時間的に概ね整合され得る。非同期動作の場合、ｅＮＢは異なるフレームタイミングを有することがあり、異なるｅＮＢからの送信は時間的に整合されないことがある。本明細書で説明される技法は、同期動作と非同期動作の両方のために使用され得る。
【００２０】
[0034]ネットワークコントローラ１３０は、ｅＮＢのセットに結合し、これらのｅＮＢのための協調と制御とを行い得る。ネットワークコントローラ１３０は、バックホールを介してｅＮＢ１１０と通信し得る。ｅＮＢ  １１０はまた、たとえば、ワイヤレスバックホールまたは有線バックホールを介して直接または間接的に、互いに通信し得る。
【００２１】
[0035]ＵＥ  １２０は、ワイヤレスネットワーク１００全体にわたって分散されてよく、各ＵＥは、固定式でも移動式でもよい。ＵＥは、端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、スマート電話、ラップトップコンピュータ、コードレス電話、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の、所望の送信を示す。両矢印付きの破線は、ＵＥとｅＮＢとの間の干渉する送信を示す。
【００２２】
[0036]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに分割する。各サブキャリアはデータで変調され得る。一般に、変調シンボルは、ＯＦＤＭでは周波数領域で、およびＳＣ−ＦＤＭでは時間領域で送られる。隣接するサブキャリア間の間隔は固定されてよく、サブキャリアの総数（Ｋ）はシステム帯域幅に依存し得る。たとえば、Ｋは、それぞれ１．２５、２．５、５、１０または２０メガヘルツ（ＭＨｚ）のシステム帯域幅に対して、１２８、２５６、５１２、１０２４または２０４８に等しくてよい。システム帯域幅は、サブバンドにも分割され得る。たとえば、サブバンドは１．０８ＭＨｚをカバーでき、１．２５、２．５、５、１０、または２０ＭＨｚのシステム帯域幅に対して、それぞれ１つ、２つ、４つ、８つ、または１６個のサブバンドがあり得る。
【００２３】
[0037]図２は、ＬＴＥにおいて使用されるダウンリンクフレーム構造を示す。ダウンリンクの送信タイムラインは、無線フレーム２００の単位に分割され得る。各無線フレーム、たとえばフレーム２０２は、所定の期間（たとえば、１０ミリ秒（ｍｓ））を有してよく、０〜９のインデックスをもつ１０個のサブフレーム２０４に分割され得る。各サブフレームは、たとえば「サブフレーム０」２０６は、２個のスロット、たとえば「スロット０」２０８と「 スロット１」２１０を含み得る。したがって、各無線フレームは、０から１９のインデックスをもつ２０個のスロットを含み得る。各スロットは、「Ｌ」個のシンボル期間、たとえば、図２に示されるようにノーマルサイクリックプレフィックス（ＣＰ）の場合は７個のシンボル期間２１２、または拡張サイクリックプレフィックスの場合は６個のシンボル期間を含み得る。ノーマルＣＰおよび拡張ＣＰは、異なるＣＰのタイプと本明細書では呼ばれ得る。各サブフレーム中の２Ｌ個のシンボル期間には、０〜２Ｌ−１のインデックスが割り当てられ得る。利用可能な時間周波数リソースは、リソースブロックに分割され得る。各リソースブロックは、１つのスロット中でＮ個のサブキャリア（たとえば、１２個のサブキャリア）をカバーし得る。
【００２４】
[0038]ＬＴＥでは、ｅＮＢは、ｅＮＢ中の各セルに関する１次同期信号（ＰＳＳ）と２次同期信号（ＳＳＳ）とを送信し得る。１次同期信号および２次同期信号は、図２に示されるように、それぞれ、ノーマルサイクリックプレフィックスをもつ各無線フレームのサブフレーム０および５の各々の中のシンボル期間６および５の中で送信され得る。同期信号は、セル検出および取得のためにＵＥによって使用され得る。ｅＮＢは、サブフレーム０のスロット１中のシンボル期間０〜３中でＰｈｙｓｉｃａｌ  Ｂｒｏａｄｃａｓｔ  Ｃｈａｎｎｅｌ（ＰＢＣＨ）を送信し得る。ＰＢＣＨはあるシステム情報を搬送し得る。
【００２５】
[0039]ｅＮＢは、図２の第１のシンボル期間２１４の全体の中で示されているが、各サブフレームの第１のシンボル期間の一部のみの中で、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（ＰＣＦＩＣＨ）を送信し得る。ＰＣＦＩＣＨは、制御チャネルのために使用されるいくつか（Ｍ個）のシンボル期間を搬送でき、ここで、Ｍは、１、２または３に等しくてよく、サブフレームごとに変化してよい。Ｍはまた、たとえばリソースブロックが１０個未満である小さいシステム帯域幅では、４に等しくてよい。図２に示される例では、Ｍ＝３である。ｅＮＢは、各サブフレームの最初のＭ個のシンボル期間の中で（図２ではＭ＝３）、Ｐｈｙｓｉｃａｌ  ＨＡＲＱ  Ｉｎｄｉｃａｔｏｒ  Ｃｈａｎｎｅｌ（ＰＨＩＣＨ）とＰｈｙｓｉｃａｌ  Ｄｏｗｎｌｉｎｋ  Ｃｏｎｔｒｏｌ  Ｃｈａｎｎｅｌ（ＰＤＣＣＨ）とを送信し得る。ＰＨＩＣＨは、ハイブリッド自動再送（ＨＡＲＱ）をサポートするための情報を搬送し得る。ＰＤＣＣＨは、ＵＥのためのリソース割当てに関する情報と、ダウンリンクチャネルのための制御情報とを搬送し得る。図２の第１のシンボル期間の中には示されていないが、ＰＤＣＣＨおよびＰＨＩＣＨは、第１のシンボル期間の中にも含まれることが理解される。同様に、ＰＨＩＣＨおよびＰＤＣＣＨはまた、第２のシンボル期間と第３のシンボル期間の両方の中にあるが、図２にはそのようには示されていない。ｅＮＢは、各サブフレームの残りのシンボル期間の中で、Ｐｈｙｓｉｃａｌ  Ｄｏｗｎｌｉｎｋ  Ｓｈａｒｅｄ  Ｃｈａｎｎｅｌ（ＰＤＳＣＨ）を送信し得る。ＰＤＳＣＨは、ダウンリンク上でのデータ送信のためにスケジューリングされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２６】
[0040]ｅＮＢは、ｅＮＢによって使用されるシステム帯域幅の中心１．０８ＭＨｚにおいて、ＰＳＳ、ＳＳＳおよびＰＢＣＨを送信し得る。ｅＮＢは、これらのチャネルが送信される各シンボル期間中のシステム帯域幅全体にわたってＰＣＦＩＣＨとＰＨＩＣＨとを送信し得る。ｅＮＢは、システム帯域幅のいくつかの部分においてＵＥのグループにＰＤＣＣＨを送信し得る。ｅＮＢは、システム帯域幅の特定の部分において特定のＵＥにＰＤＳＣＨを送信し得る。ｅＮＢは、すべてのＵＥにブロードキャスト方式でＰＳＳと、ＳＳＳと、ＰＢＣＨと、ＰＣＦＩＣＨと、ＰＨＩＣＨとを送信することができ、特定のＵＥにユニキャスト方法でＰＤＣＣＨを送信することができ、特定のＵＥにユニキャスト方法でＰＤＳＣＨを送信することができる。
【００２７】
[0041]各シンボル期間において、いくつかのリソース要素が利用可能であり得る。各リソース要素は、１つのシンボル期間中の１つのサブキャリアをカバーすることができ、実数値または複素数値であり得る１つの変調シンボルを送信するために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてがシンボル期間０中に属してよく、またはシンボル期間０、１および２中で拡散されてよい。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみが、ＰＤＣＣＨに対して可能にされ得る。
【００２８】
[0042]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、通常、ＰＤＣＣＨに対して可能にされた組合せの数よりも少ない。ｅＮＢは、ＵＥが探索することになる組合せのいずれにおいても、ＵＥにＰＤＣＣＨを送信することができる。
【００２９】
[0043]ＵＥは、複数のｅＮＢのカバレッジ内にあり得る。そのＵＥをサービスするために、これらのｅＮＢのうちの１つが選択され得る。サービングｅＮＢは、受信電力、経路損失、信号対雑音比（ＳＮＲ）などのような、様々な基準に基づいて選択され得る。
【００３０】
[0044]図３は、基地局／ｅＮＢ  １１０およびＵＥ  １２０の設計を示すブロック図を示し、図１の基地局／ｅＮＢの１つおよびＵＥの１つであり得る。基地局１１０はまた、何らかの他のタイプの基地局であり得る。基地局１１０は、アンテナ３３４ａ〜３３４ｔを備えてよく、ＵＥ  １２０は、アンテナ３５２ａ〜３５２ｒを備えてよい。
【００３１】
[0045]基地局１１０において、送信プロセッサ３２０は、データソース３１２からデータを受信し、コントローラ／プロセッサ３４０から制御情報を受信することができる。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、データシンボルと制御シンボルとをそれぞれ得ることができる。プロセッサ３２０はまた、たとえば、ＰＳＳ、ＳＳＳ、およびセル固有基準信号のための基準シンボルを生成することができる。送信（ＴＸ）多入力多出力（ＭＩＭＯ）プロセッサ３３０は、可能な場合、データシンボル、制御シンボル、および／または基準シンボルに対して空間処理（たとえば、プリコーディング）を実行することができ、出力シンボルストリームを変調器（ＭＯＤ）３３２ａ〜３３２ｔに与えることができる。各変調器３３２は、（たとえば、ＯＦＤＭなどの）それぞれの出力シンボルストリームを処理して、出力サンプルストリームを得ることができる。各変調器３３２はさらに、出力サンプルストリームを処理（たとえば、アナログへの変換、増幅、フィルタリング、およびアップコンバート）して、ダウンリンク信号を得ることができる。変調器３３２ａ〜３３２ｔからのダウンリンク信号は、それぞれアンテナ３３４ａ〜３３４ｔを介して送信され得る。
【００３２】
[0046]ＵＥ  １２０において、アンテナ３５２ａ〜３５２ｒは、基地局１１０からダウンリンク信号を受信することができ、受信された信号をそれぞれ復調器（ＤＥＭＯＤ）３５４ａ〜３５４ｒに与えることができる。各復調器３５４は、それぞれの受信された信号を調整（たとえば、フィルタリング、増幅、ダウンコンバート、およびデジタル化）して、入力サンプルを得ることができる。各復調器３５４はさらに、（たとえば、ＯＦＤＭなどの）入力サンプルを処理して、受信シンボルを得ることができる。ＭＩＭＯ検出器３５６は、すべての復調器３５４ａ〜３５４ｒから受信シンボルを得て、可能な場合は受信シンボルに対してＭＩＭＯ検出を実行し、検出されたシンボルを与えることができる。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与えることができる。プロセッサ３８０は、メモリ３８２に保持された命令を実行することによって、本明細書で説明される方法の動作を実行するためのモジュールを含み得る。そのようなモジュールは、たとえば、データ品質を測定し、リソース制約を感知し、かつｅＮＢ  １１０への送信のために制御チャネルにおいて制御信号を提供するための、モジュールを含み得る。ある態様では、ＵＥ  １２０は、ＵＥ  １２０の１つまたは複数のハードウェアコンポーネント（たとえば、プロセッサ３８０または３５８）の温度を感知するための、コントローラ／プロセッサ３８０に結合された温度センサ３５７（たとえば、サーミスタ）を含み得る。プロセッサ３５８、３８０は、ＵＥのリソースを監視してリソース制約を検出することができる。たとえば、プロセッサ３５８および／またはプロセッサ３８０は、システムバスのリソース、メモリ３８２のリソース、データシンク３６０のリソース、プロセッサ３５８のリソース、またはプロセッサ３８０のリソースのようなリソースを監視して、リソース制約を検出することができる。プロセッサ３５８または測定モジュールは、（たとえば、復調器３５４ａ〜３５４ｒまたはＭＩＭＯ検出器３５６の）受信チェーンを監視して、リソース制約を検出することができる。ＵＥ  １２０の１つまたは複数のハードウェアコンポーネントは、リソース制約を検出するように構成された測定モジュール（たとえば、図１１のモジュール１１０８）であってよく、またはそれを含んでよい。リソース制約は、ｅＮＢ  １１０からのダウンリンクデータ送信に関連し得る。本明細書の他の箇所でより詳しく説明されるように、温度および／または他のリソース測定が、キャリアアグリゲーションにおけるデータの送信を制御するためのアルゴリズムへの入力として使用され得る。
【００３３】
[0047]アップリンク上では、ＵＥ  １２０において、送信プロセッサ３６４は、データソース３６２から（たとえば、ＰＵＳＣＨのための）データを受信して処理でき、コントローラ／プロセッサ３８０から（たとえば、ＰＵＣＣＨのための）制御情報を受信し処理できる。プロセッサ３６４はまた、基準信号のための基準シンボルを生成することができる。送信プロセッサ３６４からのシンボルは、可能な場合、ＴＸ  ＭＩＭＯプロセッサ３６６によってプリコードされ、さらに（たとえば、ＳＣ−ＦＤＭなどのために）変調器３５４ａ〜３５４ｒによって処理され、基地局１１０に送信され得る。基地局１１０において、ＵＥ  １２０からのアップリンク信号は、アンテナ３３４によって受信され、復調器３３２によって処理され、可能な場合、ＭＩＭＯ検出器３３６によって検出され、さらに受信プロセッサ３３８によって処理されて、ＵＥ  １２０によって送られた復号されたデータと制御情報とを得ることができる。プロセッサ３３８は、復号されたデータをデータシンク３３９に与え、復号された制御情報をコントローラ／プロセッサ３４０に与えることができる。
【００３４】
[0048]コントローラ／プロセッサ３４０および３８０は、それぞれ基地局１１０およびＵＥ  １２０における動作を指示することができる。基地局１１０におけるプロセッサ３４０および／または他のプロセッサならびにモジュールは、本明細書で説明される技法のための様々な処理を実行し、またはその実行を指示することができる。ＵＥ  １２０におけるプロセッサ３８０ならびに／または他のプロセッサおよびモジュールは、図９〜図１８に例示されている機能ブロックおよび／または本明細書で説明されている技法のための他の処理を実行することができ、またはその実行を指示することができる。メモリ３４２および３８２は、それぞれ基地局１１０およびＵＥ  １２０のためのデータとプログラムコードとを記憶することができる。スケジューラ３４４は、ダウンリンク上および／またはアップリンク上でのデータ送信のためにＵＥをスケジューリングすることができる。ＵＥは、図１９に関して示され説明されるような１つまたは複数の追加のコンポーネントを含み得る。
【００３５】
[0049]ＬＴＥ−Ａｄｖａｎｃｅｄ  ＵＥは、各方向において送信のために使用される最高で合計１００ＭＨｚ（５つのコンポーネントキャリア）のキャリアアグリゲーションにおいて割り振られた、２０ＭＨｚの帯域幅中のスペクトルを使用し得る。キャリアアグリゲーションは、１次サービングセル（ＰＣｅｌｌ）と１つまたは複数の２次サービングセル（ＳＣｅｌｌ）とを含み得る。ＰＣｅｌｌに対応するＵＬ／ＤＬキャリアは１次コンポーネントキャリア（ＰＣＣ）であり、かつＳＣｅｌｌに対応するＵＬ／ＤＬキャリアは２次コンポーネントキャリア（ＳＣＣ）である。ＳＣＣおよびＰＣＣに適用可能な手順および方法は、それぞれＳＣｅｌｌおよびＰＣｅｌｌに適用可能であり得ることを、当業者は認識するだろう。ＳＣｅｌｌおよびＰＣｅｌｌに適用可能な手順および方法は、それぞれＳＣＣおよびＰＣＣに適用可能であり得ることを、当業者は認識するだろう。ＰＣＣは、制御シグナリングを搬送することができる。ＰＣＣを含むすべてのコンポーネントキャリアが、トラフィックデータを搬送することができる。一般に、ダウンリンクよりもアップリンクで送信されるトラフィックの方が少ないので、アップリンクのスペクトル割当てはダウンリンクの割当てよりも少なくてよい。たとえば、２０ＭＨｚがアップリンクに割り当てられる場合、ダウンリンクは１００ＭＨｚを割り当てられ得る。これらの非対称なＦＤＤ割当てはスペクトルを節約し、通常は非対称であるブロードバンド加入者による帯域幅の利用率に対してよく適合する。
【００３６】
[0050]ＬＴＥ−Ａｄｖａｎｃｅｄモバイルシステムのために、２つのタイプのキャリアアグリゲーション（ＣＡ）方法、すなわち、連続ＣＡおよび不連続ＣＡが提案されている。それらが図４Ａおよび図４Ｂに示される。不連続ＣＡ  ４５０は、複数の利用可能なコンポーネントキャリア（たとえば、４０２ｂ、４０４ｂ、４０６ｂ）が周波数帯域に沿って分離される（図４Ｂ）構成を指す。一方、連続ＣＡ  ４００は、複数の利用可能なコンポーネントキャリア（たとえば、４０２ａ、４０４ａ、４０６ａ）が互いに隣接する（図４Ａ）場合の構成を指す。非連続ＣＡと連続ＣＡの両方が、単一ユニットのＬＴＥ  Ａｄｖａｎｃｅｄ  ＵＥにサービスするために複数のＬＴＥ／コンポーネントキャリアを統合する。
【００３７】
[0051]ＬＴＥ−ＡｄｖａｎｃｅｄのＵＥでは、キャリアが周波数帯に沿って分かれているので、複数のＲＦ受信ユニットおよび複数の高速フーリエ変換（ＦＦＴ）ユニットが、非連続ＣＡとともに展開され得る。非連続ＣＡは、広い周波数範囲にわたる複数の分かれたキャリア上でのデータ送信をサポートするので、伝搬経路損失、ドップラーシフト、および他の無線チャネル特性が、異なる周波数帯では多く変動し得る。
【００３８】
[0052]したがって、非連続ＣＡの手法のもとでブロードバンドデータ送信をサポートするために、異なるコンポーネントキャリアに対する符号化、変調、および送信電力を適応的に調整するための方法が使用され得る。たとえば、ｅｎｈａｎｃｅｄ  ＮｏｄｅＢ（ｅＮＢ）が各コンポーネントキャリア上で一定の送信電力を有するＬＴＥ−Ａｄｖａｎｃｅｄシステムでは、各コンポーネントキャリアの実効カバレッジまたはサポート可能な変調および符号化が、異なり得る。
【００３９】
[0053]図５は、Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−Ａｄｖａｎｃｅｄ）システムの、メディアアクセス制御（ＭＡＣ）層５００における異なるコンポーネントキャリア５０２、５０４、５０６からの送信ブロック（ＴＢ）を集約することを示す。ＭＡＣ層のデータ集約によって、各コンポーネントキャリアは、ＭＡＣ層５００に固有の独立ハイブリッド自動再送要求（ＨＡＲＱ）エンティティを有し、物理層に固有の送信構成パラメータ（たとえば、送信電力、変調および符号化方式、ならびに複数のアンテナ構成）を有する。同様に、物理層５０８において、１つのＨＡＲＱエンティティが、各コンポーネントキャリアに対して提供される。データが単一のサービスまたはアプリケーションに向けられるとき、データアグリゲーションプロセス５１０が、異なるコンポーネントキャリアからのデータを統合されたデータストリームへと統合するために、受信機において実行され得る。
【００４０】
[0054]一般に、複数のコンポーネントキャリアに対して制御チャネルのシグナリングを展開するために、３つの異なる手法がある。第１の手法は、ＬＴＥシステムにおける制御構造の小規模な修正を伴い、この場合、各コンポーネントキャリアは固有の符号化された制御チャネルを与えられる。
【００４１】
[0055]第２の手法は、異なるコンポーネントキャリアの制御チャネルを一緒に符号化することと、専用のコンポーネントキャリアにおいて制御チャネルを展開することとを伴う。複数のコンポーネントキャリアに対する制御情報は、この専用の制御チャネル中のシグナリングコンテンツとして統合されることになる。結果として、ＬＴＥシステム中の制御チャネル構造との後方互換性は保たれるが、ＣＡシグナリングオーバーヘッドは減る。
【００４２】
[0056]異なるコンポーネントキャリアの複数の制御チャネルが一緒に符号化され、次いで、第３のＣＡ手法で形成される周波数帯域全体にわたって送信される。この手法は、ＵＥ側で電力消費が多くなることと引き換えに、制御チャネルにおいて小さなシグナリングオーバーヘッドと高い復号性能とを実現する。しかしながら、この手法は、ＬＴＥシステムとは互換性がない。
【００４３】
[0057]モバイルエンティティにおけるデータアグリゲーションは、リソース集約的であり得る。（たとえばＬＴＥおよびＵＭＴＳにおいて）キャリアアグリゲーションを有効にするとき、１つの問題は、第２のキャリアから第Ｎのキャリアを有効にすることでモバイルエンティティに対して追加の負荷が課され得るということである。そのような負荷は、たとえば、ＣＰＵプロセッシング、メモリ、バス帯域幅、電力消費、または他の因子のシステムリソース使用量の増大を含み得る。リソース使用量の増大によって、今度は、ハードウェアシステムが熱くなることがあり、場合によっては望ましい温度閾値を超える。他の問題には、電池の電力の消耗が速すぎること、または、他のサービスに対して利用可能なリソースが減ることがあり得る。そのようなリソース使用量の増大は、キャリアアグリゲーションが他のリソース集約的な機能、たとえば、干渉の打消し、複数の無線の同時の有効化、ブロードキャスト/マルチキャストサービスの同時の受信、または他のサービスと同時に有効にされると、悪化し得る。リソース使用量がデバイスのリソース制約を超える状況では、制御可能な方式でキャリアアグリゲーションのための処理要件を下げつつ、モバイルデバイスの動作に対する影響を最小限にすることが望ましいことがある。しかしながら、現在の技術は、キャリアアグリゲーションに対する処理要件の低減を達成するための効果的な手法を欠いていることがある。したがって、本開示は、キャリアアグリゲーションの間のダウンリンクデータ転送のフロー制御のための方法と装置とを提供することによって、従来技術のこれらの制約と他の制約とに対処する。
【００４４】
[0058]本明細書で開示される原理および技術的詳細を採用することによって、モバイルエンティティは、同時進行のシナリオにおける処理要件を下げ、従来可能であり得るものよりも低いコストでキャリアアグリゲーションをサポートするプラットフォームを提供することができる。本技術の態様は、モバイルエンティティのリソース制約状態に基づいて、１つまたは複数のＳＣＣ上のデータスループットを制御することを含む。データスループットは、１つまたは複数のＳＣＣのダウンリンク上で制御され得る。本明細書で使用される場合、「２次コンポーネントキャリア」または「ＳＣＣ」は、第１の（１次またはアンカー）コンポーネントキャリア以外の任意のキャリアを、第２のキャリアであるか、第３のキャリアであるか、第４のキャリアであるか、または第１以外の任意の他のランクのキャリアであるかにかかわらず、含む。モバイルエンティティは、本明細書で説明される１つまたは複数の技法を使用して、自身のリソース状態を検出し、検出された状態に応答してデータスループットを低下または上昇させることができる。本技法は、ＳＣＣについて、ＵＥにおいて経験される実際のチャネル品質よりも低いチャネル品質（ＣＱＩ）状態を報告することを含み得る。より低いＣＱＩは、本明細書では「擬似状態ＣＱＩ」と呼ばれることがあり、それは、そのより低いＣＱＩがＵＥにおいて経験される実際のＣＱＩのインジケータではないからである。擬似状態ＣＱＩを報告することで、ｅＮＢは、ＳＣＣ上でのデータ送信を減らし、または停止し得る。本技法は、たとえば、ｅＮＢに単一レイヤＭＩＭＯへと切り替えさせるように、報告されたプリコーディングマトリックスインジケータ（ＰＭＩ）および／またはランクインジケータ（ＲＩ）を修正することを含み得る。ＰＭＩは、ＭＩＭＯ動作を改善するための好ましいプリコーディングマトリックスのインデックスと関連付けられ得る。本技法は、たとえば、雑音を注入し、または受信された信号を歪ませることによって、ダウンリンクにおける受信経路を劣化させることと、劣化させられた信号に基づいてＣＱＩ状態を報告することとを含み得る。これにより、今度は、ｅＮＢがＳＣＣ上のデータレートを低下させ得る。本技法は、ＳＣＣ上で受信されたデータにより正当とされる数よりも多数の否定応答（ＮＡＣＫ）をＳＣＣについて報告すること、やはり擬似状態ＣＱＩを示すことを含み得る。本技法は、ＳＣＣについてイベントトリガされた測定を少数しか報告しないこと、またはまったく報告しないことを含み得る。これらの技法の各々により、ネットワークは、第１のキャリアまたは他のキャリア上でのデータスループットを犠牲にすることなく、ＳＣＣ上でのデータスループットを低減することができるので、ＵＥのシステムリソース要件を下げることについてＵＥを助けることができる。システムリソース要件の低下により、ＵＥにおけるリソース制約が軽減し得る。
【００４５】
[0059]別のリソース制約には、ｓｉｍｕｌｔａｎｅｏｕｓ  ｖｏｉｃｅ  ａｎｄ  ＬＴＥ（ＳＶＬＴＥ）をサポートする実施形態において直面し得る。そのような実施形態は、ＵＥが、Ｏｎｅ  Ｔｉｍｅｓ  Ｒａｄｉｏ  Ｔｒａｎｓｍｉｓｓｉｏｎ  Ｔｅｃｈｎｏｌｏｇｙ（１ｘＲＴＴ）ページをＬＴＥ無線リソース制御（ＲＲＣ）接続モードにあるときに受信するのをサポートすることと、モバイル機器で開始されモバイル機器で終端する１ｘＲＴＴ上の音声呼をＬＴＥ  ＲＲＣ接続モードにあるときにサポートすることとを、要求し得る。しかしながら、ハードウェアの制限により、ＵＥが１ｘＲＴＴ上にある間は、ＭＩＭＯ動作を必要とする、複数のキャリア上での受信または送信は不可能であることがある。加えて、多くのハードウェア構成では、ＵＥは、１ｘＲＴＴ上にある間は、ＳＣＣを監視することが可能ではないことがある。ＬＴＥ  Ｒｅｌ．１０は、キャリアアグリゲーションをサポートするためのＵＥの能力の変化に関して、ＵＥがｅＮＢと通信することを可能にする手順を提供しない。また、ＵＥは、ＵＥがＳＣＣを切断／非アクティブ化していることを、ｅＮＢに同時に通知することができない。
【００４６】
[0060]上で要約されたようなリソース制約は、本明細書で説明されるような様々な手法を使用して管理され得る。これらの新たな手法は、既存の手法に対するいくつかの利点をもたらし得る。第１に、この手法の使用により、２つ以上のキャリアがアクティブ化されたＵＥが、１ｘＲＴＴ上でページを受信することが可能になり得る。第２に、この手法の使用により、受信チェーンが１ｘＲＴＴに割り振られ得るように、２つ以上のキャリアがアクティブ化されたＵＥが、あるキャリアを切断すること、または２次セルに対するＭＩＭＯ動作を無効にすることのいずれかを行うことが可能になり得る。第３に、この手法の使用により、キャリアアグリゲーションについてある規定された能力を有し現在１ｘＲＴＴ上にあるＵＥが、ネットワークによるＳＣＣのアクティブ化を防ぐことが可能になり得る。第４に、この手法の使用により、１ｘＲＴＴ呼が完了した後で、ＵＥが非アクティブ化されたＳＣＣを再アクティブ化することが可能になり得る。
【００４７】
[0061]ＵＥのキャリアアグリゲーション能力は、初期接続の間に行われるＵＥ能力転送の間にネゴシエートされ得る。ＳＣＣはＲＲＣレイヤによって構成されてよく、これは、ＵＥがＲＲＣ接続を確立するたびに、たとえば、ＵＥがＬＴＥ  ＩＤＬＥからＣＯＮＮＥＣＴＥＤ状態に移ったとき、またはＵＥがＲＲＣ  ＣＯＮＮＥＣＴＥＤ状態にある間に、起こり得る。しかしながら、ＳＣＣは、ＭＡＣアクティブ化制御要素がキャリアをアクティブ化するために受信されるまで、非アクティブ化されたままであり得る。アクティブ化ＭＡＣ制御要素が時間「ｎ」において受信されると、ＵＥは、たとえば、時間ｎ＋８ミリ秒において開始する、ＳＣＣ上の物理ダウンリンク制御チャネル（ＰＤＣＣＨ）と物理ダウンリンクスケジューリングチャネルＰＤＳＣＨとを復号することができる。このプロセス６００は、時間軸によって示されるように下方向に移動するステップとともに、図６に示されている。最初に、ステップ６０２（時間ｔ１）において、ｅＮＢ  １１０は、たとえば、ＵＥＣａｐａｂｉｌｉｔｙＥｎｑｕｉｒｙメッセージをＵＥ  １２０に送信することによって、ＵＥ  １２０の能力を問い合わせることができ、ステップ６０４（時間ｔ２）において、ＵＥ  １２０は、ＵＥ  １２０能力情報によって問合せに応答することができる。ＵＥ  １２０能力情報は、ＵＥＣａｐａｂｉｌｉｔｙＩｎｆｏｒｍａｔｉｏｎメッセージを介して送信され得る。ステップ６０６（時間ｔ３）において、ｅＮＢ  １１０は次いで、たとえば、ＲＲＣＣｏｎｎｅｃｔｉｏｎＲｅｃｏｎｆｉｇｕｒａｔｉｏｎメッセージを介して、接続のために１つまたは複数のＳＣＣを構成するメッセージを提供することができる。ステップ６０８（時間ｔ４）において、ＵＥは、ＲＲＣ構成メッセージを受信し接続を構成した後、たとえば、ＲＲＣＣｏｎｎｅｃｔｉｏｎＲｅｃｏｎｆｉｇｕｒａｔｉｏｎＣｏｍｐｌｅｔｅメッセージを介して、確認応答によって応答することができる。ステップ６１０（時間ｔ５）において、ｅＮＢ  １１０がＳＣＣをアクティブ化するためにＭＡＣ制御要素に送信すると、ＳＣＣがアクティブ化され、通常８ミリ秒後の時間ｔ６において、データ送信のために使用され得る。その後、時間ｔ６から、ＳＣＣがアクティブになる。
【００４８】
[0062]しかしながら、ＵＥ  １２０がキャリアアグリゲーションおよび帯域結合に対するサポートを通知した後、およびＳＣＣがアクティブ化されたときには、ＵＥがアクティブ化されたキャリアの１つまたは複数を切断／非アクティブ化するための既存の方法がない。この欠点を解決するためにいくつかの選択肢が使用されることがあり、これは２つの手法に分けられ得る。１つの手法では、ＵＥ  １２０に対する変更により、ＵＥ  １２０が、新たなＭＡＣ制御要素の使用を通じて上記の問題に対処することが可能になり得る。第２の手法では、ＵＥ  １２０は、新たなプロトコル制御要素を使用することなく、ＳＣＣを切断するときにユーザ体験に対する影響を最小限にし、リソース制約を満たしながらいくつかの機能を提供するように、既存のシステム内で自律的に動作する。
【００４９】
[0063]１つの手法によれば、ｅＮＢ  １１０に１つまたは複数のＳＣＣを非アクティブ化／再アクティブ化するようにＵＥ  １２０が要求するための新たなＭＡＣ制御要素が、利用され得る。新たなＭＡＣ制御要素に対するサポートは、ｅＮＢ  １１０に対して任意選択にされ得る。新たなＭＡＣ制御要素は、キャリアの１つまたは複数がアクティブ化または非アクティブ化されるべきであることをＵＥ  １２０がｅＮＢ  １１０に知らせることを可能にするように構成され得る。キャリアの非アクティブ化は、ｅＮＢ  １２０の制御のもとにとどまることができ、ｅＮＢ  １２０は、非アクティブ化ＭＡＣ制御情報要素を送信することによって、ＳＣＣを非アクティブ化することができる。
【００５０】
[0064]図７Ａは、ＳＣＣ  ７００Ａのアクティブ化／非アクティブ化のための新たなＭＡＣ制御要素（ＭＣＥ）を含むＭＡＣ  ＰＤＵ  ７５０を示す。ＭＡＣパケットデータユニット（ＰＤＵ）７５０は、論理チャネル識別子（ＬＣＩＤ）データを格納するＭＡＣヘッダ７０２とＭＡＣデータペイロード（たとえば、ＭＣＥ  ７０４と、ＭＣＥ  ７００Ａと、パディング７０６とを含む）とを含む。新たなＭＡＣ制御要素７００Ａは、ＵＬ共有チャネル（ＳＣＨ）のための以下の表１に示されるＬＣＩＤにより規定されるようなものであり得る。ＭＡＣ制御要素７００Ａは、たとえば、インデックス０１０１１において、ＬＣＩＤ値テーブルに含まれ得る。表１はまた、インデックス０００００におけるＣＣＣＨ、インデックス００００１〜０１０１０における論理チャネルの識別情報などのような、他のフィールドを含み得る。ＭＡＣ制御要素７００Ａは、図７Ａに示されるように、たとえば、７個のＣフィールドと１個のＲフィールドとを格納する単一オクテットという一定のサイズを有し得る。アクティブ化／非アクティブ化要求ＭＡＣ制御要素７００Ａは、次のように定義され得る。各Ｃフィールドについて、Ｃi：インデックス値（たとえば、３ＧＰＰ  ＴＳ  ３６．３２１において規定されるような、「ＳＣｅｌｌＩｎｄｅｘ「ｉ」」）によりアクティブ化されたＳＣＣが存在し対応するビットが０に設定される場合、このフィールドは、たとえば、ＳＣｅｌｌＩｎｄｅｘ「ｉ」を伴うＳＣｅｌｌの非アクティブ化をＵＥ  １２０が要求していることを示す。ＳＣｅｌｌが非アクティブ化され対応するフィールドが１に設定される場合、ＵＥ  １２０は、ＳＣｅｌｌのアクティブ化を要求している。あるいは、ビットは、ＳＣｅｌｌの非アクティブ化を要求するために１に設定されてよく、ビットは、ＳＣｅｌｌのアクティブ化を要求するために０に設定されてよい。Ｒフィールドは、「０」に設定され得る予備ビットを格納する。
【００５１】
[0065]図７Ｂにおいて示される例では、アクティブ化／非アクティブ化要求ＭＡＣ制御要素７００Ｂは、「１」に設定された２つのビットを含み、他のビットは「０」に設定される。インデックス１およびインデックス２（たとえば、ＳＣｅｌｌＩｎｄｅｘ＝１および２）に設定された２つのビットは、第１のＳＣＣおよび第２のＳＣＣ（たとえば、ＳＣｅｌｌＩｎｄｅｘ＝１および２）を（まだアクティブ化されていなければ）アクティブ化し、インデックス３から７のＳＣＣの残りを（まだ非アクティブ化されていなければ）非アクティブ化するための要求を示す。ＳＣＣの数、たとえば最大の数は、ＲＲＣレイヤにおけるシグナリングを通じて構成され得る。たとえば、ＵＥは、１から７までの任意の数のＳＣＣに対して構成され得る。ＳＣＣに対して構成されていないＳＣｅｌｌインデックスに対応するＳＣｅｌｌビットは無視され得る。たとえば、ＵＥが最大で２つのＳＣＣに対して構成される場合、２つのＳＣＣに対応するＳＣｅｌｌインデックス（たとえば、ＳＣｅｌｌインデックス１および２）は処理されるが、ビットの残り（たとえば、ＳＣｅｌｌインデックス３〜７に対応する）は無視される。インデックス０における値は、「０」に設定された予備ビット（たとえば、Ｒフィールド）であり得る。
【表１】
2015509348.tif 000003
【００５２】
[0066]表１：ＵＬ−ＳＣＨに対するＬＣＩＤの値
[0067]新たなＭＡＣ制御要素７００Ａに基づいてＳＣＣをアクティブ化／非アクティブ化するための手法を例示する呼のフローが、図８に示される。要素８０２〜８１０（および関連する時間マーカーｔ１’〜ｔ６’）は、図６の要素６０２〜６１０（および関連する時間マーカーｔ１〜ｔ６）に対応し、再び説明されない。新たなアクティブ化／非アクティブ化要求ＭＡＣ制御要素７００Ａは、ＳＣＣがアクティブ化された後、ステップ８１２においてＵＥによって送信され得る。アクティブ化／非アクティブ化要求ＭＡＣ制御要素７００Ａを受信したことに応答して、ステップ８１４において、ｅＮＢ  １１０は、アクティブ化／非アクティブ化要求ＭＡＣ制御要素７００Ａから、ＳＣＣをアクティブ化／非アクティブ化するためのメッセージを送信する。図８に示される例では、ＵＥ  １２０は、ステップ８１２において１つまたは複数のＳＣＣの非アクティブ化を要求することができ、ｅＮＢ  １１０は、ステップ８１４において要求されたＳＣＣを非アクティブ化する。その後、時間ｔ７’から、ＳＣＣが非アクティブになる。
【００５３】
[0068]このアクティブ化／非アクティブ化能力を追加することで、ＵＥ  １２０は、上で要約された利点を実現することが可能になり得る。ＵＥ  １２０が１ｘＲＴＴページの間にＳＣｅｌｌを非アクティブ化すると決めるかどうかは、１ｘＲＴＴ監視の期間に依存し得る。たとえば、約５０ｍｓ未満の１ｘＲＴＴ監視期間では、ＵＥ  １２０は、１ｘＲＴＴページ監視の間にＳＣＣを非アクティブ化する必要はない可能性がある。
【００５４】
[0069]ＵＥ  １２０は、新たなＭＡＣ制御要素または他の明示的な制御シグナリングを使用することなく、上で要約された利点を達成することができる。この場合、ＵＥ  １２０は、ＳＣＣが切断されたことをｅＮｏｄｅＢに明示的にシグナリングすることなく、ＳＣＣを切断すると決めることができる。しかしながら、ＵＥ  １２０は、ＳＣＣの喪失がより丁寧に行われるように、この情報を暗黙的に搬送することができる。暗黙的な制御のための方法９００の概要が、図９に示される。ステップ９０６において、ｅＮＢ  １１０はＰＣＣ上でデータを提供するが、ステップ９０８において、ｅＮＢ  １１０はＳＣＣ上でＰＣＣデータと統合するためのデータを提供する。ＵＥ  １２０は、複数のキャリアからデータを受信し統合する。
【００５５】
[0070]ステップ９１０において、ＵＥ  １２０は、たとえば、１ｘＲＴＴページまたは要求、温度、電力、メモリ、バス帯域幅、または他のリソースの１つまたは複数を含む、リソース使用量を監視する。ステップ９１２において、ＵＥ  １２０は、ＳＣＣの使用が低減または停止されるべきであることを示す、リソース制約関連のイベントを検出する。ステップ９１４において、ＵＥ  １２０は、ＳＣＣの使用の低減を暗黙的にシグナリングするための、本明細書では擬似状態情報とも呼ばれる調整された状態情報を生成する。ステップ９１６において、ＵＥ  １２０は、従来の制御チャネル、たとえばＰＤＣＣＨを使用して、擬似状態情報をｅＮＢ  １１０にシグナリングする。ステップ９１８において、ｅＮＢ  １１０は、擬似状態情報に基づいて、１つまたは複数のＳＣＣからのデータ送信を再配置することができる。ｅＮＢ  １１０は、擬似状態情報（図示せず）に応答して、ＳＣＣ上での送信を完全に止めることができる。ステップ９２０において示されるある代替形態では、ｅＮＢ  １１０は、擬似状態情報に応答して、ＳＣＣ上のデータレートを調整することができる。ステップ９２２において、ｅＮＢ  １１０は、任意選択である調整されたレートで、ＰＣＣおよび／または異なるＳＣＣ上でデータを提供する。たとえば、ＵＥ  １２０が調整の前に複数のキャリア上である特定のデータサービスを受信している場合、調整の後、ｅＮＢ  １１０は、容量が許す範囲で、残りのキャリア上でのデータサービスのデータレートを上げることができる。
【００５６】
[0071]ＵＥ  １２０は、擬似状態情報を生成するための様々な技法を使用することができる。ある技法によれば、ＵＥは、ＣＱＩを下げることができ、または、実際にはｅＮＢ  １１０に報告されるものよりも高いＣＱＩを経験しているにもかかわらず、ＳＣＣについてＣＱＩ＝０を報告するのを始めることができる。ダウンリンク上で送信されるＤＬ  ＨＡＲＱについてＵＥがＡＣＫ／ＮＡＣＫを報告しないという事実に加えて、この技法により、ｅＮＢ  １１０は、影響を受けるキャリア上でのスケジューリングを停止し、影響を受けるキャリアを最終的には非アクティブ化し得る。
【００５７】
[0072]ＳＣＣが１ｘＲＴＴ呼と競合するのを避けるために非アクティブ化されるように、ＵＥは、１ｘＲＴＴ呼／ページングの前にＣＱＩの低減を開始することができる。たとえば、ＵＥは、１ｘＲＴＴページングを監視する時間を知っていることがあり、または、ＵＥがいつ１ｘＲＴＴ呼を受信するかを知っていることがある。そのような例では、ＵＥは、１ｘＲＴＴ呼／ページングの前に、より低いＣＱＩの値の報告を送信することによって、前もって低減することができる。しかしながら、ネットワークが２次セルを非アクティブ化する前にＵＥ  １２０が低い（または０の）ＣＱＩを報告しなければならない期間は、ネットワークの挙動に依存する。したがって、ＵＥ  １２０は、ＳＣＣがｅＮｏｄｅＢによって明示的に非アクティブ化される前に１ｘＲＴＴ受信へ移行するのを可能にするために、ＳＣＣを無視し、ＳＣＣのＰＤＣＣＨを監視しないことが必要であり得る。
【００５８】
[0073]ある態様では、モバイルエンティティにおいて１ｘＲＴＴページを監視することは、ＬＴＥにおける測定ギャップと類似しているがより長く（３０ｍｓ前後）より頻繁ではない（ページング周期は通常２秒前後である）、ページ監視ギャップを採用することを含み得る。しかしながら、この実装形態は、ＬＴＥネットワークおよびキャリアとネゴシエートされなければならないことがある。
【００５９】
[0074]ある代替的な態様では、ＳＣＣを無効にする代わりに、ＵＥ  １２０は、キャリアをアクティブ化されたままにすることが可能であり得るが、第２の受信チェーンはＳＣＣ上でＭＩＭＯをサポートすることが要求されない。これは、ＵＥが、「ＭＩＭＯを伴うＰＣｅｌｌ＋ＭＩＭＯを伴うＳＣｅｌｌ」から「ＭＩＭＯを伴うＰＣｅｌｌ＋多入力単出力（ＭＩＳＯ）を伴うＳＣｅｌｌ＋１ｘ」に移行することを意味し、これは、ランクインジケータ（ＲＩ）報告において１というランクを規定することによって行われ得る。ＲＩは、現在のチャネル条件に基づいてサポートされるＭＩＭＯレイヤの数を表し得る。この手法は、ＵＥがＳＣｅｌｌのＰＤＣＣＨを監視できること、およびＲＩ＝１の報告がＵＥおよびネットワークに対して透過的であり得ることという、利点を提供することができる。しかしながら、ＳＣＣは通常、負荷平衡および／またはピークデータレートのために構成される。そのような構成では、ランク１に低下したＵＥは、非アクティブ化されたＳＣＣといくつかの不利益を共有し得る。上の実施形態（ＣＱＩ低下およびＳＣｅｌｌ切断）と同様に、ＭＩＭＯを無効にするステップは、２つのキャリア上でのｅＮＢ  １１０のスケジューリングに依存し得る。
【００６０】
[0075]別の代替的な態様では、ＵＥ  １２０は最初に、ＭＩＭＯ動作を無効にし、何らかの事前に定義された長さのラグ期間の後でＳＣＣを切断することができる。上記の議論に基づいて、段階的な手法が利用されてよく、この手法では、ＵＥ  １２０は、「ＰＣｅｌｌ−ＭＩＭＯ＋ＳＣｅｌｌ−ＭＩＭＯ」から「ＰＣｅｌｌ−ＭＩＭＯ＋ＳＣｅｌｌ−ＭＩＳＯ＋１ｘ」に移行し、次いで「ＰＣｅｌｌ−ＭＩＭＯ＋１ｘ」に移行する。この場合、ＵＥ  １２０のＣＱＩ低下の報告は、より円滑なチャネル劣化シナリオを模擬し、ＨＡＲＱ障害をほとんどまたはまったく伴わずにＳＣＣを非アクティブ化するための時間と情報とをネットワークに与えるように構成される。
【００６１】
[0076]ＵＥ  １２０が１ｘＲＴＴ呼上にあり、キャリアアグリゲーション能力をｅＮＢ  １１０とすでにネゴシエートしている場合、ＵＥ  １２０は、次の技法を使用して、ＳＣＣのアクティブ化を防ぐことが可能にされ得る。特定のＳＣＣのアクティブ化は、ＵＥ  １２０によるＬＴＥのイベントトリガされる測定報告Ａ１およびＡ４に基づいてよく、Ａ１は、サービングｅＮＢからの信号品質がある一定の閾値を超えて改善したことを示し、Ａ４は、近隣のｅＮＢからの信号品質がある一定の閾値を超えて改善したことを示す。Ａ１イベントが特定のＳＣＣに対して定義される場合、ＵＥは、その特定のＳＣＣに対応するＳＣｅｌｌ信号品質を、Ａ１報告に含めることができる。Ａ４イベントが特定のＳＣＣに対して定義される場合、ＵＥは、そのＳＣＣの近隣のｅＮＢの信号品質を、Ａ４報告に含めることができる。Ａ１およびＡ４測定報告を使用して、ｅＮＢは、別のＳＣｅｌｌをアクティブ化し、非アクティブ化し、解放し、かつ／または追加すると決めることができる。ＵＥ  １２０は、ＳＣＣがアクティブ化のための設定された閾値よりも悪いことを示す、擬似状態測定報告を報告することができる。そのような手法では、ｅＮｏｄｅＢは、ＳＣＣをアクティブ化するとは予想されない。そのような擬似状態報告は、ＰＣＣ上でのハンドオーバーシナリオに影響を与えるべきではない。
【００６２】
[0077]しかしながら、ＰＣＣからＳＣＣへのハンドオーバーがセル端において必要とされる配置の状況では、上記の擬似状態報告技法はハンドオーバーと干渉することがある。そのような干渉を最小限にするために、セルの端部の性能が負の影響を受けないように、本技法は、ＵＥ  １２０が現在のＰＣＣ上での弱いカバレッジに遭遇したとき、ＵＥ  １２０がＳＣＣ測定の報告も選択的に開始するように、修正され得る。ＳＣＣが再アクティブ化される場合、ＵＥ  １２０は再び、そのＳＣＣ上で低いＣＱＩを報告することができる。
【００６３】
[0078]図１０は、上で説明された技法の態様を具現化するモバイルエンティティ、たとえばＵＥ  １２０によって実行され得る、方法１０００における動作の例を示す。ステップ１００２において、モバイルエンティティは、キャリアアグリゲーション構成にある２つ以上のキャリアを介してデータを受信することができる。ステップ１００４において、モバイルエンティティは、システムリソースを監視して、１つまたは複数のＳＣＣの使用を低減または停止することを必要とするリソース制約を示すイベントの発生を検出することができる。リソース制約は、たとえば、ＣＰＵプロセッシング利用率制約、メモリ利用率制約、バス帯域幅利用率制約、電力消費利用率制約、および／または何らかの他の制約を含む、システムリソース利用率制約を含み得る。リソース制約を超えることに関するイベントは、温度センサまたは電圧センサのようなセンサを使用して検出されてよく、または、データスループットまたは他の状態情報などを考慮することによって測定され得る。これらのイベントはまた、モバイルエンティティのプロセッサまたは測定モジュールを使用して検出され得る。リソース制約を超えることに関するイベントが１０１０において検出されない場合、モバイルエンティティは、擬似状態情報を何ら伴わない状態報告を含む、通常の動作１００８を再開することができる。
【００６４】
[0079]リソース制約を超えたことを示すイベントが検出されると、モバイルエンティティは、ＳＣＣ上でＭＩＭＯを無効にするかどうかを、１０３０において判定することができる。たとえば、ＭＩＭＯがすでに無効にされている場合、またはまだ有効にされていない場合、さらなる無効化は不可能である。また、リソース制約のタイプまたはモバイルエンティティの現在の状態が、この判定に影響し得る。上で述べられたように、モバイルエンティティ、たとえばＵＥ  １２０は、１０３２においてＭＩＭＯ動作を無効にし、何らかの事前に定義された長さのラグ期間の後でＳＣＣを切断することができる。
【００６５】
[0080]ＭＩＭＯのさらなる無効化が実行される予定がない場合、方法は１０１２へと分岐して、ＳＣＣ上でのデータ送信を制御するために、制御パラメータと設定点とを選択することができる。たとえば、特定の制御パラメータに対して、対応する設定点は、リソース制約を超えたときにＳＣＣを無効にするように、ある値（たとえば、０）に設定され得る。制御パラメータは、ＣＱＩ、ＡＣＫ／ＮＡＣＫ、イベント報告、これらのパラメータの何らかの組合せ、および／または何らかの他のパラメータを含み得る。この選択は、事前に構成されていてよく、または、モバイルエンティティの状態に応じてオンザフライで行われてよい。パラメータと設定点とを選択するのを支援するために、モバイルエンティティは、たとえば、ＳＣＣのデータレートを測定することによって、１０１４においてＳＣＣ状態を任意選択で測定することができる。
【００６６】
[0081]１０１６において、モバイルエンティティは、選択されたパラメータに対して擬似状態を判定または生成することができる。たとえば、モバイルエンティティは、意図される結果または設定点に対する関係に基づいて、ＣＱＩまたはＡＣＫ／ＮＡＣＫを、可能な範囲の最大値または最小値に、または何らかの中間値に設定することができる。閉ループパラメータ制御（たとえば、比例積分制御）のための本技術分野において知られている制御方法が、ＳＣＣについて報告すべきパラメータの擬似状態値を決定するために使用され得る。１０１８において、モバイルエンティティは、たとえば適用可能な制御チャネルを使用して、擬似状態値をｅＮＢに送信することができる。続いて、１０２０において、モバイルエンティティは、１つまたは複数のキャリアを介してデータを受信し続けることができる。ＳＣＣ上のデータレートは、０へと低下させられ、または下げられ得る。
【００６７】
[0082]モバイルエンティティは、１０２２において、リソース制約がＳＣＣのデータレートの低下または無効化により軽減されたかどうかを判定することができる。たとえば、リソースの利用率が閾値よりも低くなっていない場合、モバイルエンティティは、動作１０１６〜１０２０を繰り返すことができる。リソース制約を検出することとリソース制約を検出しないこととを繰り返すのを避けるために、ヒステリシスが利用され得る。たとえば、２つのヒステリシス閾値が使用され得る。第１の閾値は、リソース制約と関連付けられるリソース利用率を決定するために使用されてよく、第２の閾値は、リソース制約の軽減と関連付けられるリソース利用率を決定するために使用され得る。リソースの軽減が達成された場合、モバイルエンティティは、制約が解除されるまで、１０２４における擬似状態シグナリングを維持することができる。その理由は、たとえば、１ｘＲＴＴ接続が終了するため、リソースに大きな需要を課している別のサービスが終了するため、追加のリソース（たとえば、電力）が利用可能にされるため、などである。１０２６において、制約が解除されたとモバイルエンティティが判定すると、モバイルエンティティは、１００８における通常の制御シグナリングを再開することができる。そのように判定しない場合、モバイルエンティティは、１０２４における擬似状態シグナリングを維持することができる。
【００６８】
[0083]いくつかの実施形態では、モバイルエンティティは、信号品質を劣化させるための、図１１に示されるようなコンポーネント１１００を装備し得る。擬似信号を決定し生成する代わりに、ＳＣＣ上で受信される信号品質を劣化させ、次いでＣＱＩ、ＡＣＫ／ＮＡＣＫ、またはｅＮＢに対する他のフィードバックを、従来の技法を使用して生成するのが有利であり得る。制御モジュール１１０４は、ＳＣＣ上でのダウンリンクデータ送信を減らすか、増やすか、停止するかを判定するようにプログラムされるプロセッサを含み得る。制御モジュール１１０４は、信号品質の低下が報告されるべきであると制御モジュール１１０４が判定したことに基づいて、信号劣化モジュール１１０６を通じてデータを選択的に向けるためのスイッチ１１０２に結合され得る。制御モジュール１１０４が信号品質の低下を報告しないと判定すると、スイッチは、データを測定モジュール１１０８に向ける。信号劣化コンポーネント１１０６は、雑音または干渉を導入することによって、信号振幅を小さくすることによって、または何らかの他の歪みまたは障害を導入することによって、信号を劣化させるための受動的電子装置および／または能動的電子装置であってよく、またはそれらを含み得る。当業者は、適切なコンポーネント１１０６を選択または提供することができる。コンポーネント１１０６は、制御モジュール１１０４に結合された能動的コンポーネントであってよく、この場合、コンポーネントによりもたらされる劣化の量は制御され得る。この制御が劣化を０へと減らすことを可能にする場合、スイッチ１１０２は省略され得る。信号提供側からの劣化させられたデータは、測定モジュール１１０８に与えられてよく、測定モジュール１１０８は、チャネル品質インジケータ、ＡＣＫ／ＮＡＣＫ、イベント報告、または他の適切な制御信号を生成するための、モバイルエンティティの受信チェーン中の従来のモジュールであり得る。測定モジュール１１０８は、生成された信号を制御モジュール１１０４に与え得る。制御モジュール１１０４は、フィードバック制御のために、測定モジュール１１０８からの信号を使用し得る。たとえば、制御モジュール１１０４は、測定モジュール１１０８からの信号に基づいて、信号劣化を増やし、または減らすように、信号劣化器１１０６を制御することができる。
【００６９】
[0084]本明細書で図示および説明された例示的なシステムを考慮すれば、開示される主題に従って実装され得る方法は、様々なフローチャートを参照すればより良く理解されよう。説明を簡単にするために、方法は一連の行為／ブロックとして図示および説明されるが、いくつかのブロックは、本明細書で図示および説明される順序とは異なる順序で、および／または他のブロックと実質的に同時に行われ得るので、特許請求される主題はブロックの数または順序によって限定されないことを理解し諒解されたい。さらに、本明細書で説明される方法を実装するために、図示されたすべてのブロックが必要とされるとは限らない。ブロックに関連する機能は、ソフトウェア、ハードウェア、それらの組合せまたは任意の他の適切な手段（たとえば、デバイス、システム、プロセス、またはコンポーネント）によって実装され得ることを諒解されたい。加えて、本明細書の全体にわたって開示される方法は、そのような方法を様々なデバイスに移送および転送することを容易にする製品に、符号化された命令および／またはデータとして記憶することが可能であることをさらに諒解されたい。方法は、代替的に、状態図のような、一連の相互に関係する状態または事象として表現され得ることを、当業者は理解し諒解するであろう。
【００７０】
[0085]図１２に示されるように、キャリアアグリゲーションを使用したワイヤレス通信ネットワーク中の２次コンポーネントキャリアＤＬを制御するための方法１２００が、モバイルエンティティによって実行され得る。モバイルエンティティは、本明細書で説明される様々な形式のいずれかのエンティティ、たとえばＵＥを備え得る。方法１２００は、１２１０において、モバイルエンティティによって、キャリアアグリゲーション対応接続の２次コンポーネントキャリア上での基地局からモバイルエンティティへのデータ送信に関するモバイルエンティティにおけるリソース制約を示すイベントを検出することを含み得る。方法１２００はさらに、１２２０において、そのイベントを検出したことに応答して、２次コンポーネントキャリアＤＬの状態を基地局にシグナリングすることによって、データ送信を制御することを含み得る。状態は擬似状態であり得る。リソース制約は、ＣＰＵプロセッシング利用率制約、受信チェーン制約、バス帯域幅制約、電力制約、または動作温度制約、または何らかの他の制約の１つを含み得る。
【００７１】
[0086]図１３〜図１８はさらに、キャリアアグリゲーションを使用してワイヤレス通信ネットワーク中の２次コンポーネントキャリアＤＬを制御するために方法１２００とともにモバイルエンティティによって実行され得る任意選択の動作または態様１３００〜１８００を示す。図１３〜図１８に示される動作は、方法１２００を実行するために必要とされない。図で示された動作は、独立に実行され得るものであり、相互に排他的ではなくてよい。したがって、別の下流の動作または上流の動作が実行されるかどうかにかかわらず、そのような動作のうちのいずれか１つが実行され得る。方法１２００が、図１３〜図１８の少なくとも１つの動作を含む場合、方法１２００は、必ずしも、図示され得るいかなる後続の（１つまたは複数の）下流の動作を含む必要なく、少なくとも１つの動作の後に終了し得る。
【００７２】
[0087]図１３を参照すると、方法１２００は、追加の動作１３００のうちの１つまたは複数を含み得る。方法１２００において状態をシグナリングすることはさらに、１３１０において、データ送信中のエラーの数に対して必要なＮＡＣＫの数を超える、より多数のＮＡＣＫをデータ送信についてシグナリングすることを含み得る。方法１２００において状態をシグナリングすることはさらに、１３２０において、データ送信においてＡＣＫ／ＮＡＣＫ応答を要求する信号を受信しているにもかかわらず、データ送信に対してＡＣＫまたはＮＡＣＫをシグナリングしないことを含み得る。述べられたように、これによりｅＮＢは、モバイルエンティティへの送信のために２次コンポーネントキャリアを使用するのを止め得る。
【００７３】
[0088]図１４を参照すると、方法１２００は、追加の動作１４００の１つまたは複数を含み得る。方法１２００において状態をシグナリングすることはさらに、１４１０において、データ送信についてモバイルエンティティにより測定されるものより低いチャネル品質を示す、データ送信に対するチャネル品質インジケータをシグナリングすることを含み得る。たとえば、チャネル品質インジケータは０に設定され得る。そのようにすることで、ｅＮＢは、モバイルエンティティへの送信のために２次コンポーネントキャリアを使用するのを止め得る。
【００７４】
[0089]図１５を参照すると、方法１２００は、追加の動作１５００の１つまたは複数を含み得る。方法１２００はさらに、１５１０において、チャネル測定モジュールのデータ送信アップストリームの品質を劣化させることを含み得る。方法１２００において状態をシグナリングすることはさらに、１５２０において、モバイルエンティティによって基地局に提供されるイベントトリガされた測定結果を劣化させることを含み得る。
【００７５】
[0090]図１６を参照すると、方法１２００は、追加の動作１６００の１つまたは複数を含み得る。方法１２００において状態をシグナリングすることはさらに、１６１０において、モバイルエンティティのＭＩＭＯ能力未満のＭＩＭＯ能力を示すことを含み得る。方法１２００において状態をシグナリングすることはさらに、１６２０において、プリコーディングマトリックスインジケータ（ＰＭＩ）またはランクインジケータ（ＲＩ）の少なくとも１つによって能力を示すことを含み得る。
【００７６】
[0091]図１７を参照すると、方法１２００は、追加の動作１７００の１つまたは複数を含み得る。方法１２００はさらに、１７１０において、ページングメッセージを受信することと、２次コンポーネントキャリア上でキャリアアグリゲーションを無効にすることによって着信した呼のためのリソースを解放することとを含み得る。方法１２００はさらに、１７２０において、外部への呼を行うための要求を受信することと、２次コンポーネントキャリア上でキャリアアグリゲーションを無効にすることによって外部への呼のためのリソースを解放することとを含み得る。２次コンポーネントキャリア上でキャリアアグリゲーションを無効にすることは、たとえば、基地局がモバイルエンティティとの通信のために２次コンポーネントキャリアを無効にすることを暗黙的に要求するように、２次コンポーネントキャリアの擬似状態を基地局にシグナリングすることを含み得る。
【００７７】
[0092]図１８を参照すると、方法１２００は、追加の動作１８００の１つまたは複数を含み得る。方法１２００は、１８１０において、データ送信のデータレートを監視することを含み得る。方法１２００はさらに、１８２０において、定義された範囲または設定点の外側にデータレートが移行することを備えるイベントを、監視によって観測することを含み得る。方法１２００はさらに、１８３０において、定義された範囲または設定点の範囲内にデータレートを維持することによって、データ送信を制御することを含み得る。たとえば、データレートは、１つまたは複数の設定点に対するフィードバックに基づいて擬似状態報告を制御するために、任意の適切な閉ループ制御アルゴリズムを使用して維持され得る。
【００７８】
[0093]図１９を参照すると、キャリアアグリゲーションを使用したワイヤレス通信ネットワーク中の２次コンポーネントキャリアを制御するための、ワイヤレスネットワーク中のモバイルエンティティもしくはＵＥとして、またはモバイルエンティティまたはＵＥ内で使用するためのプロセッサもしくは同様のデバイスとして構成され得る、例示的な装置１９００が提供される。装置１９００は、プロセッサ、ソフトウェア、またはこれらの組合せ（たとえば、ファームウェア）によって実装される機能を表し得る機能ブロックを含み得る。
【００７９】
[0094]一実施形態では、装置１９００は、モバイルエンティティによって、キャリアアグリゲーション対応接続の２次コンポーネントキャリア上での基地局からモバイルエンティティへのデータ送信に関するモバイルエンティティにおけるリソース制約を示すイベントを検出するための電気コンポーネントまたはモジュール１９０２を含み得る。リソース制約は、ＣＰＵプロセッシング制約、受信チェーン制約、バス帯域幅制約、電力制約、動作温度制約、または何らかの他の制約の１つを含み得る。たとえば、電気コンポーネント１９０２は、送受信機などに結合され、データレートを低減することまたは２次コンポーネントキャリアを停止することを要求するリソース制約が存在するときを判定するための命令を有するメモリに結合された、少なくとも１つの制御プロセッサを含み得る。たとえば、電気コンポーネント１９０２は、プロセッサ３８０、温度センサ３５７、測定モジュール１１０８、アンテナ３５２、および／またはメモリ３８２の任意の組合せであってよく、またはそれを含み得る。コンポーネント１９０２は、キャリアアグリゲーション対応接続の２次コンポーネントキャリア上での基地局からモバイルエンティティへのデータ送信に関するモバイルエンティティにおけるリソース制約を示すイベントを検出するための手段であってよく、またはそれを含み得る。前記手段は、アルゴリズムを動作させる少なくとも１つの制御プロセッサを含み得る。アルゴリズムは、たとえば、温度センサからの信号を使用して温度を検出すること、１ｘＲＴＴページングメッセージを受信すること、１ｘＲＴＴ呼を行うための要求を示す入力を受信すること、電源の電圧または電流を測定すること、メモリ使用量を測定すること、バス帯域幅使用量を測定すること、またはＣＰＵ使用量を測定すること、および可能な場合には、測定された品質（たとえば、温度、電圧など）を閾値と比較して閾値を超えるかどうかを判定することを含み得る。
【００８０】
[0095]装置１９００は、そのイベントを検出したことに応答して、２次コンポーネントキャリアの状態を基地局にシグナリングすることによって、ＳＣＣ上でのデータ送信を制御するための電気コンポーネント１９０４を含み得る。状態は擬似状態であり得る。たとえば、電気コンポーネント１９０４は、送受信機などに結合され、実際のキャリア状態を示さない擬似状態信号を生成するための命令を保持するメモリに結合された、少なくとも１つの制御プロセッサを含み得る。たとえば、電気コンポーネント１９０４は、プロセッサ３８０、３６４、３６６、アンテナ３５２、メモリ３８２、および／またはデータソース３６２の任意の組合せであってよく、またはそれを含み得る。コンポーネント１９０４は、そのイベントを検出したことに応答して、２次コンポーネントキャリアの状態を基地局にシグナリングすることによって、データ送信を制御するための手段であってよく、またはそれを含み得る。前記手段は、アルゴリズムを動作させる少なくとも１つの制御プロセッサを含み得る。アルゴリズムは、本明細書で説明されるより詳細な技法、または追加の動作１３００〜１８００の任意の１つまたは組合せに従って、たとえば、擬似ＣＱＩ、擬似ＡＣＫ／ＮＡＣＫ、擬似イベント報告、擬似ＭＩＭＯ能力をシグナリングすることを含み得る。
【００８１】
[0096]装置１９００は、説明を簡単にするために図１９に示されない、図１３〜図１８に関連して説明された追加の動作１３００〜１８００のいずれかまたはすべてを実行するための同様の電気コンポーネントを含み得る。
【００８２】
[0097]関連する態様では、モバイルエンティティとして構成された装置１９００の場合、装置１９００は、少なくとも１つのプロセッサを有するプロセッサコンポーネント１９１０を任意選択で含み得る。プロセッサ１９１０は、そのような場合、バス１９１２または同様の通信結合を介してコンポーネント１９０２〜１９０４または同様のコンポーネントと動作可能に通信し得る。プロセッサ１９１０は、電気コンポーネント１９０２〜１９０４によって実行される処理または機能の起動とスケジューリングとを実施し得る。プロセッサ１９１０は、全体的にまたは部分的に、コンポーネント１９０２〜１９０４を包含し得る。代替的に、プロセッサ１９１０は、１つまたは複数の別個のプロセッサを含み得るコンポーネント１９０２〜１９０４とは別個であり得る。
【００８３】
[0098]さらなる関連する態様では、装置１９００は、無線送受信機コンポーネント１９１４を含み得る。送受信機１９１４の代わりに、または送受信機１９１４とともに、スタンドアロン受信機および／またはスタンドアロン送信機が使用され得る。代替的に、または加えて、装置１９００は、異なるキャリア上で送信および受信するために使用され得る、複数の送受信機または送信機／受信機ペアを含み得る。装置１９００は、たとえば、メモリデバイス／コンポーネント１９１６のような、情報を記憶するためのコンポーネントを任意選択で含み得る。コンピュータ可読媒体またはメモリコンポーネント１９１６は、バス１９１２などを介して装置１９００の他のコンポーネントに動作可能に結合され得る。メモリコンポーネント１９１６は、コンポーネント１９０２〜１９０４、およびそれらのサブコンポーネント、またはプロセッサ１９１０、追加の態様１３００、１４００、１５００、１６００、１７００、もしくは１８００、または本明細書で開示される方法の活動を実行するための、コンピュータ可読命令とデータとを記憶するように適合され得る。メモリコンポーネント１９１６は、コンポーネント１９０２〜１９０４に関連する機能を実行するための命令を保持し得る。メモリ１９１６の外部にあるものとして示されているが、コンポーネント１９０２〜１９０４はメモリ１９１６の内部に存在してよいことを理解されたい。
【００８４】
[0099]情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００８５】
[00100]さらに、本明細書の開示に関連して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明された機能を具体的な適用例ごとに様々な方法で実装することができるが、そのような実装の決定は、本開示の範囲からの逸脱を生じるものと解釈すべきではない。
【００８６】
[00101]本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェアコンポーネント、または本明細書に記載の機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００８７】
[00102]本明細書の開示に関して説明された方法またはアルゴリズムのステップは、直接ハードウェアで具現化されてよく、プロセッサによって実行されるソフトウェアモジュールで具現化されてよく、またはその２つの組合せで具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体化され得る。プロセッサおよび記憶媒体はＡＳＩＣ中に常駐し得る。ＡＳＩＣは、ユーザ端末内に常駐し得る。代替として、プロセッサおよび記憶媒体は、ユーザ端末内に個別コンポーネントとして常駐し得る。
【００８８】
[00103]１つまたは複数の例示的な設計では、説明された機能は、ハードウェア、ソフトウェア、ファームウェア、または任意のそれらの組合せで実装され得る。ソフトウェアで実装される場合、機能は、１つまたは複数の命令またはコードとしてコンピュータ可読媒体上に記憶され、またはコンピュータ可読媒体を介して送信され得る。非一時的コンピュータ可読媒体は、ある場所から別の場所へのコンピュータプログラムの転送を可能にするための使用または未使用に関わらずを含む、コンピュータ記憶媒体と一時的メモリ媒体の両方を含む。記憶媒体は、汎用または専用コンピュータによってアクセスされ得る任意の利用可能な媒体であってよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令またはデータ構造の形態の所望のプログラムコード手段を搬送または記憶するために使用され、汎用もしくは専用コンピュータまたは汎用もしくは専用プロセッサによってアクセスされ得る、任意の他の媒体を備え得る。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、磁気的に符号化されたデータを保持する媒体を示し、ディスク（disc）は、光学的に符号化されたデータを保持する媒体を示す。上記の組合せもコンピュータ可読媒体の範囲内に含めるべきである。
【００８９】
[00104]本開示の前述の説明は、いかなる当業者でも本開示を作成または使用することができるように提供される。本開示への様々な修正は当業者には容易に明らかであり、本明細書で定義された一般原理は、本開示の趣旨または範囲から逸脱することなく他の変形形態に適用され得る。したがって、本開示は、本明細書で説明される例および設計に限定されるものではなく、本明細書で開示される原理および新規の特徴に合致する最も広い範囲を与えられるべきである。
【図１】
2015509348.tif 000004
【図２】
2015509348.tif 000005
【図３】
2015509348.tif 000006
【図４Ａ】
2015509348.tif 000007
【図４Ｂ】
2015509348.tif 000008
【図５】
2015509348.tif 000009
【図６】
2015509348.tif 000010
【図７Ａ】
2015509348.tif 000011
【図７Ｂ】
2015509348.tif 000012
【図８】
2015509348.tif 000013
【図９】
2015509348.tif 000014
【図１０】
2015509348.tif 000015
【図１１】
2015509348.tif 000016
【図１２】
2015509348.tif 000017
【図１３】
2015509348.tif 000018
【図１４】
2015509348.tif 000019
【図１５】
2015509348.tif 000020
【図１６】
2015509348.tif 000021
【図１７】
2015509348.tif 000022
【図１８】
2015509348.tif 000023
【図１９】
2015509348.tif 000024
【国際調査報告】
2015509348.tif 000025
2015509348.tif 000026
2015509348.tif 000027
2015509348.tif 000028
2015509348.tif 000029
2015509348.tif 000030